【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
袋（１）が中に配置されている圧力容器（２）であって、前記圧力容器（２）が、２つの個別の区画（３，４）を有するタイプであり、第１の区画（３）が外側容器（５）によって形成されており、前記外側容器の中に前記袋（１）が内側袋（１）として設けられて第２の区画（４）を形成しており、前記袋（１）が製品（９）によって充填されている、または製品（９）によって充填されるように意図されており、前記袋（１）に製品（９）を供給するためと前記袋（１）から製品（９）を取り出すためのバルブ（７）が前記圧力容器（２）にさらに設けられており、前記外側容器（５）および前記内側袋（１）の両方が気密結合部（１０，２７，２８）によって前記バルブ（７）に結合されている、圧力容器（２）において、
前記袋（１）が弾性かつ伸長性の材料から製造されており、したがって、前記袋（１）を空の状態から最大限に広がった非伸長状態に広げることができ、前記袋（１）が前記製品（９）によって充填されるとき、または前記袋（１）が空気または別の気体によって膨らむとき、前記袋（１）が非伸長状態から伸長状態に伸びることができ、前記袋（１）の伸長が可逆的であり、前記伸長が相当に大きいため、前記袋（１）を使用してさまざまな寸法の圧力容器（２）を構築することができ、
前記袋（１）が、
伸長状態において前記袋（１）によって占有される体積が、前記袋（１）が最大限に広がった非伸長状態にあるときに前記袋（１）が占有できる最大体積の少なくとも２倍であるような伸長性である材料、
から製造されていることを特徴とする、
圧力容器（２）。
【請求項２】
前記袋（１）に、周囲縁部（１１）を境界とする開口部（１２）が設けられており、前記周囲縁部（１１）が、前記圧力容器（２）との気密結合部（１０）を形成するための密封材料として機能することができるように、厚くされていることを特徴とする、
請求項１に記載の圧力容器（２）。
【請求項３】
前記袋（１）が、
伸長状態において気密性である、もしくは前記製品（９）に対して不浸透性である、またはその両方である材料、
から製造されていることを特徴とする、
請求項１または請求項２に記載の圧力容器（２）。
【請求項４】
前記袋（１）が、生物分解性の材料から製造されていることを特徴とする、
請求項１から請求項３のいずれかに記載の圧力容器（２）。
【請求項５】
前記袋（１）が、単層の材料から製造されていることを特徴とする、
請求項１から請求項４のいずれかに記載の圧力容器（２）。
【請求項６】
前記袋（１）が、以下の材料、すなわち、
−  天然ゴム（ラテックス）、
−  合成ゴム、
−  シリコーンゴム、
−  プラスチック、
−  天然ゴムと１種類または複数種類のプラスチックの混合、
−  エラストマ、
−  熱可塑性エラストマ、
−  ポリウレタン、
−  ハイブリッド材料、
−  ナノ構造材料、
−  ＬＬＤＰＥ（直鎖状低密度ポリエチレン）、
−  バイオポリマ、
のうちの少なくとも１種類から製造されていることを特徴とする、
請求項１から請求項５のいずれかに記載の圧力容器（２）。
【請求項７】
前記外側容器（５）と前記袋（１）とが、それぞれ個別の気密結合部（２７，２８）によって、より具体的には、前記容器（５）と前記バルブ（７）との間の第１の気密結合部（２７）と、前記袋（１）と前記バルブ（７）との間の第２の気密結合部（２８）によって、前記バルブ（７）に結合されていることを特徴とする、
請求項１から請求項６のいずれかに記載の圧力容器（２）。
【請求項８】
前記外側容器（５）と前記袋（１）とが、同じ共通の気密結合部（１０）によって前記バルブ（７）に結合されていることを特徴とする、
請求項１から請求項７のいずれかに記載の圧力容器（２）。
【請求項９】
前記圧力容器（２）との気密結合部（１０，２８）が、
前記気密結合部（１０，２８）を形成するための密封材料として機能する、前記袋（１）の厚くされた周囲縁部（１１）、
によって形成されていることを特徴とする、
請求項７または請求項８に記載の圧力容器（２）。
【請求項１０】
前記袋（１）における開口部（１２）の前記周囲縁部（１１）が、前記バルブ（７）と、前記外側容器（５）の周囲縁部（１３）の間に固定されて、前記共通の気密結合部（１０）を形成していることを特徴とする、
請求項９に記載の圧力容器（２）。
【請求項１１】
前記袋（１）に流れ促進手段（２６）が設けられており、
前記流れ促進手段（２６）が、前記袋（１）の内面に設けられた数本の縦リブ（２６）または局所的な隆起部または肥厚部２６からなることを特徴とする、
請求項１から請求項１０のいずれかに記載の圧力容器（２）。
【請求項１２】
請求項１から請求項１１のいずれかに記載の圧力容器（２）を備えていることを特徴とする、スプレー缶。
【請求項１３】
請求項１から請求項１１のいずれかに記載の圧力容器（２）として構築されていることを特徴とする、
請求項１２に記載のスプレー缶。
【請求項１４】
２つの区画（３，４）を有するタイプの、さまざまな寸法の一連の圧力容器（３６）であって、第１の区画（３）が外側容器（５）によって形成されており、前記外側容器の中に前記袋（１）が設けられて第２の区画（４）を形成しており、前記袋（１）が製品（９）によって充填されている、または製品（９）によって充填されるように意図されており、前記袋（１）に製品（９）を供給するためと前記袋（１）から製品（９）を取り出すためのバルブ（７）が前記圧力容器（２）にさらに設けられており、前記外側容器（５）および前記内側袋（１）の両方が気密結合部（１０，２７，２８）によって前記バルブ（７）に結合されており、前記袋（１）を空の状態から最大限に広がった状態に広げることができる、一連の圧力容器（３６）において、
前記袋（１）が弾性かつ伸長性の材料から製造されており、したがって、前記袋（１）が前記製品（９）によって充填されるとき、または前記袋（１）が空気または別の気体によって膨らむとき、前記袋（１）が前記最大限に広がった状態から伸長状態に伸びることができ、前記袋（１）の伸長が可逆的であり、各圧力容器（２）に、その寸法には関係なく、同じ内部の袋（１）が設けられており、前記袋（１）すべてが同じ特性を有する、より具体的には、前記最大限に広がった非伸長状態において、同じサイズおよび同じ壁厚を有することを特徴とする、
一連の圧力容器（３６）。
【請求項１５】
さまざまな寸法の一連の圧力容器（２）を製造する方法であって、各圧力容器（２）が２つの区画（３，４）を有するタイプであり、第１の区画（３）が外側容器（５）によって形成され、前記外側容器の中に内側袋（１）が設けられて第２の区画（４）を形成し、前記袋（１）が製品（９）によって充填され、前記袋（１）に製品（９）を供給するためと前記袋（１）から製品（９）を取り出すためのバルブ（７）が前記圧力容器（２）にさらに設けられ、前記外側容器（５）および前記内側袋（１）の両方が気密結合部（１０，２７，２８）によって前記バルブ（７）に結合される、方法において、
前記袋（１）が弾性かつ伸長性の材料から製造され、したがって、前記袋（１）を、空の状態から最大限に広がった非伸長状態に広げることができ、前記袋（１）が前記製品（９）によって充填されるとき、または前記袋（１）が空気または別の気体によって膨らむとき、前記袋（１）が非伸長状態から伸長状態に伸びることができ、前記袋（１）の伸長が可逆的であり、さまざまな寸法の圧力容器（２）において同じ内部の袋（１）が使用され、前記同じ内部の袋（１）それぞれが、同じ寸法および特性を有し、より具体的には、前記圧力容器（２）の寸法には関係なく、前記非伸長状態において特定の固定されたサイズおよび壁厚を有することを特徴とする、
方法。